(57)【特許請求の範囲】
【請求項１】
無線送受信ユニット（ＷＴＲＵ）によって、セル順方向アクセスチャネル（ＣＥＬＬ＿ＦＡＣＨ）状態において拡張専用チャネル（Ｅ−ＤＣＨ）送信を完了するための方法であって、
前記ＷＴＲＵの送信バッファが空であるという条件において、前記ＷＴＲＵが、全Ｅ−ＤＣＨバッファステータス（ＴＥＢＳ）がゼロに等しいスケジューリング情報（ＳＩ）の送信をトリガするステップと、
ハイブリッド自動再送要求（ＨＡＲＱ）バッファが空であり、かつ前記ＴＥＢＳがゼロに等しいＳＩの送信が行われたという条件において、Ｅ−ＤＣＨリソースを解放するステップと
を備えることを特徴とする方法。
【請求項２】
非アクティブタイマは、前記送信バッファが空になると開始されることを特徴とする請求項１に記載の方法。
【請求項３】
前記ＳＩの前記送信は、前記非アクティブタイマが期限切れになるとトリガされることを特徴とする請求項２に記載の方法。
【請求項４】
Ｅ−ＤＣＨ送信は、Ｅ−ＤＣＨアクイジションインジケーションチャネル（Ｅ−ＡＩＣＨ）上にて応答が受信されるという条件において、前記ＷＴＲＵによって送信されるプリアンブルに対して生じることを特徴とする請求項１に記載の方法。
【請求項５】
セル再選択または無線リンクの故障の場合、前記Ｅ−ＤＣＨ送信を完了するステップをさらに備えることを特徴とする請求項１に記載の方法。
【請求項６】
最後のＨＡＲＱデータ送信が前記ＷＴＲＵによって終了しているという条件を判定するステップをさらに備えることを特徴とする請求項１に記載の方法。
【請求項７】
ハイブリッド自動再送要求（ＨＡＲＱ）バッファと、
送信バッファが空であるという条件において、全Ｅ−ＤＣＨバッファステータス（ＴＥＢＳ）がゼロに等しいスケジューリング情報（ＳＩ）の送信をトリガし、
前記ＨＡＲＱバッファが空であり、かつ前記ＴＥＢＳがゼロに等しいＳＩの送信が行われたという条件において、Ｅ−ＤＣＨリソースを解放する
ように構成されたプロセッサと、
を備える無線送受信ユニット（ＷＴＲＵ）。
【請求項８】
前記プロセッサは、前記送信バッファが空になると非アクティブタイマを開始させるようにさらに構成されたことを特徴とする請求項７に記載のＷＴＲＵ。
【請求項９】
前記ＳＩの前記送信は、前記非アクティブタイマが期限切れになるとトリガされることを特徴とする請求項８に記載のＷＴＲＵ。
【請求項１０】
Ｅ−ＤＣＨ送信は、Ｅ−ＤＣＨアクイジションインジケーションチャネル（Ｅ−ＡＩＣＨ）上にて応答が受信されるという条件において、前記ＷＴＲＵによって送信されるプリアンブルに対して生じることを特徴とする請求項７に記載のＷＴＲＵ。
【請求項１１】
前記プロセッサは、セル再選択または無線リンクの故障の場合、前記Ｅ−ＤＣＨ送信を完了するようにさらに構成されたことを特徴とする請求項７に記載のＷＴＲＵ。
【請求項１２】
最後のＨＡＲＱデータ送信が終了しているという条件を判定するようにさらに構成されたことを特徴とする請求項７に記載のＷＴＲＵ。
【発明の詳細な説明】
【技術分野】
【０００１】
本出願は、無線通信に関する。
【背景技術】
【０００２】
無線通信システムにおいて、無線リソースへのアクセスは、無線ネットワークにより制御される。無線送受信ユニット（ＷＴＲＵ）は、ネットワークに送信するためのデータがあるとき、そのデータペイロードを送信する前に無線リソースへのアクセスを必要とする。３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）ネットワークにおいて、ＷＴＲＵは、ＲＡＣＨ（ランダムアクセスチャネル）として知られる、競争的な（ｃｏｎｔｅｎｔｉｏｕｓ）チャネルを使用してアップリンクで送信することができる。ＲＡＣＨへのアクセスは競争的であるため、複数のＷＴＲＵがリソースに同時にアクセスすると、衝突が起こる可能性がある。
【０００３】
３ＧＰＰにおける現在のＲＡＣＨアクセス手順には、電力の立ち上がりを含むプリアンブルフェーズ、続いてランダムアクセスのためのチャネル取得情報およびメッセージの送信が含まれる。ＲＡＣＨは、共有チャネルであるため、ＷＴＲＵが長時間共有無線リソースを保持するのを避けるために、ＲＡＣＨで比較的短いメッセージペイロードのみが送信され、これにより比較的低いデータレートとなっている。したがって、ＲＡＣＨは、短い制御メッセージの送信に使用される。一般に、より高いデータレートを必要とするＷＴＲＵは、ネットワークによって、専用のリソースを使用するように構成することができる。
【０００４】
ＲＡＣＨによって提供されるデータレートは、ほとんどの音声通信に対応する短い制御メッセージの送信には十分であるが、インターネットブラウジング、電子メールなど新しい非リアルタイムのデータサービスに関連するデータメッセージの送信には非効率である可能性がある。こうしたデータサービスでは、トラフィックは本質的に遮断され、次の送信までの間に長時間の非アクティブ状態が存在する場合がある。例えば、キープアライブメッセージの頻繁な送信を必要とするアプリケーションでは、専用のリソースの非効率な使用となる場合がある。こうした場合、ネットワークが、代わりにデータ送信のために共有リソースを使用する方が有効であることがある。しかし、ＲＡＣＨによって提供されるデータレートが低いという点で問題である。
【０００５】
これらの問題を克服するために、ＣＥＬＬ＿ＦＡＣＨ状態で拡張専用チャネル（Ｅ−ＤＣＨ）を使用して、共有チャネルのデータレートを向上させることが提案されている。
【０００６】
図１は、拡張ＲＡＣＨ（Ｅ−ＲＡＣＨ）アクセスの図である。Ｅ−ＲＡＣＨ手順は、ＲＡＣＨプリアンブルフェーズおよびＥ−ＲＡＣＨメッセージフェーズの処理を含むことができる。最初のＲＡＣＨプリアンブルフェーズ中、ＷＴＲＵは、ＲＡＣＨプリアンブルを送信し、最初のリソース割り当てを受信するまで、送信の電力を立ち上げながら、プリアンブルを送信し続ける。ＷＴＲＵは、この期間中に他のＷＴＲＵがＲＡＣＨにアクセスしようと試行している場合、衝突の検出および解決を行うこともできる。ＷＴＲＵは、ＲＡＣＨへのアクセスの許可をいったん受けると、リソースが解放されるまで、またはＷＴＲＵが別の状態に移行するまで、データを送信することができる。
【発明の概要】
【発明が解決しようとする課題】
【０００７】
上述したように、ＣＥＬＬ＿ＦＡＣＨ状態でＥ−ＤＣＨを使用して、共有チャネルのデータレートを向上させることが提案されている。しかし、現在の標準では、Ｅ−ＲＡＣＨメッセージフェーズを終了させるための方法はない。
したがって、Ｅ−ＲＡＣＨにおいてＥ−ＲＡＣＨメッセージフェーズを終了するための方法および装置を提供することが有用となる。
【課題を解決するための手段】
【０００８】
Ｅ−ＲＡＣＨ送信においてＥ−ＲＡＣＨメッセージを終了するための方法および装置が提供される。Ｅ−ＲＡＣＨメッセージを終了するためのトリガも提供される。ＣＥＬＬ＿ＦＡＣＨ状態の間に共有Ｅ−ＤＣＨリソースを解放するために、Ｅ−ＲＡＣＨメッセージの終了またはＣＥＬＬ＿ＤＣＨ状態への移行後のアクションが提供される。
【０００９】
バッファが空であることを決定し、ＴＥＢＳ（全Ｅ−ＤＣＨ（拡張専用チャネル）バッファステータス）の値がゼロに等しいＳＩ（スケジューリング情報）の送信をトリガし、最後のＨＡＲＱ（ハイブリッド自動再送要求）データ送信を決定し、Ｅ−ＤＣＨリソース割り当てを解放する、Ｅ−ＲＡＣＨ送信においてＥ−ＲＡＣＨ（拡張ランダムアクセスチャネル）メッセージを終了するための方法が提供される。
【００１０】
ＨＡＲＱバッファが空になるまでネットワークが待ち、値がゼロのＳＩが受信されると、リソースが解放される、Ｅ−ＲＡＣＨ送信においてＥ−ＲＡＣＨ（拡張ランダムアクセスチャネル）メッセージを終了するための方法。
【００１１】
例として示され、添付の図面と併せ読めば理解される以下の説明から、より詳しい理解が得られよう。
【図面の簡単な説明】
【００１２】
【図１】Ｅ−ＤＣＨを含むＥ−ＲＡＣＨアクセスを示す図である。
【図２】無線通信システムを示す図である。
【図３】図２に示す無線通信システムのＷＴＲＵおよび基地局を示す機能ブロック図である。
【図４】Ｅ−ＤＣＨリソース割り当ておよび割り当て解除を示すフロー図である。
【図５】ＷＴＲＵがタイマについて開始することができるタイマを開始するためのトリガを示す図である。
【図６】ＷＴＲＵのキューまたはバッファの状況に基づいてＥ−ＤＣＨリソースを解放するための方法を示すフロー図である。
【図７】Ｅ−ＲＡＣＨメッセージ送信の終了を決定するように構成されたネットワークを示すフロー図である。
【図８】ＷＴＲＵがＣＥＬＬ＿ＦＡＣＨ状態からＣＥＬＬ＿ＤＣＨ状態に移行するときのＥ−ＤＣＨリソース解放を示すフロー図である。
【図９】ＣＥＬＬ＿ＦＡＣＨ状態の間にＥ−ＤＣＨリソースを解放するためのフロー図である。
【発明を実施するための形態】
【００１３】
以下で言及するとき、「ＷＴＲＵ（無線送受信ユニット）」という用語は、それだけには限定されないが、ＵＥ（ユーザ機器）、移動局、固定式または携帯式の加入者ユニット、ページャ、セルラー電話、ＰＤＡ（個人用デジタル補助装置）、コンピュータ、または無線環境で動作することができる他の任意のタイプのユーザ装置を含む。以下で言及するとき、「基地局」という用語は、それだけに限定されないが、Ｎｏｄｅ−Ｂ、サイトコントローラ、ＡＰ（アクセスポイント）、または無線環境で動作することができる他の任意のタイプのインターフェイス装置を含む。
【００１４】
本明細書で言及するとき、ＲＡＣＨおよびＥ−ＲＡＣＨという用語は、アップリンク競合ベースのアクセスのためにＷＴＲＵによって選択されるリソースを説明するために使用することができる。Ｅ−ＲＡＣＨリソースという用語は、将来のシステムアーキテクチャにおけるＥ−ＲＡＣＨチャネルに関連付けられるスクランブリングコード、チャネライゼーションコード、タイムスロット、アクセスの機会、または署名シーケンスの任意の組み合わせを示すこともある。Ｅ−ＲＡＣＨという用語は、ＣＥＬＬ＿ＦＡＣＨ、ＣＥＬＬ＿ＰＣＨ、ＵＲＡ＿ＰＣＨの状態またはアイドルモードにおけるＥ−ＤＣＨの使用を示すこともある。
【００１５】
以下で言及するとき、拡張ＭＡＣ（媒体アクセス制御）−ｅ／ｅｓエンティティという用語は、ＣＥＬＬ＿ＦＡＣＨ状態でＥ−ＤＣＨ送信を実行するために使用されるＭＡＣエンティティを指すことができ、これは、リリース８ではＭＡＣ−ｉ／ｉｓと呼ばれる。ＭＡＣ−ｅ／ｅｓおよびＭＡＣ−ｉ／ｉｓは、拡張専用伝送チャネル（Ｅ−ＤＣＨ）などの伝送チャネルを処理するＭＡＣエンティティである。
【００１６】
図２は、複数のＷＴＲＵ２１０、基地局２２０、ＣＲＮＣ２３０、ＳＲＮＣ２４０、およびコアネットワーク２５０を含む無線通信システム２００を示す図である。図２に示すように、ＷＴＲＵ２１０は、基地局２２０と通信し、基地局２２０は、ＣＲＮＣ２３０およびＳＲＮＣ２４０と通信する。図３に３つのＷＴＲＵ２１０、１つの基地局２２０、１つのＣＲＮＣ２３０、および１つのＳＲＮＣ２４０が示されているが、無線の装置および有線の装置の任意の組み合わせを無線通信システム２００が備えることができることに留意されたい。
【００１７】
図３は、図２の無線通信システム２００のＷＴＲＵ２１０および基地局２２０の機能ブロック図３００である。図３に示すように、ＷＴＲＵ２１０は、基地局２２０と通信し、いずれも、Ｅ−ＲＡＣＨにおいてメッセージの送信を終了するための方法を実行するように構成される。
【００１８】
一般のＷＴＲＵに備えられている構成要素に加えて、ＷＴＲＵ２１０は、プロセッサ２１５、受信機２１６、送信機２１７、およびアンテナ２１８を含む。プロセッサ２１５は、Ｅ−ＲＡＣＨにおいてメッセージの送信を終了するための方法を実行するように構成される。受信機２１６および送信機２１７は、プロセッサ２１５と通信する。アンテナ２１８により、受信機２１６および送信機２１７の両方と通信して、無線データの送信および受信が可能となる。
【００１９】
一般の基地局に備えられている構成要素に加えて、基地局２２０は、プロセッサ２２５、受信機２２６、送信機２２７、およびアンテナ２２８を含む。プロセッサ２２５は、Ｅ−ＲＡＣＨにおいてメッセージの送信を終了するための方法を実行するように構成される。受信機２２６および送信機２２７は、プロセッサ２２５と通信する。アンテナ２２８により、受信機２２６および送信機２２７の両方と通信して、無線データの送信および受信が可能になる。
【００２０】
図４は、ＷＴＲＵのトリガを使用するＥ−ＤＣＨリソース割り当ておよび割り当て解除４００のフロー図である。第１の状態は、４０５でＥ−ＤＣＨリソースがそれに割り当てられていない状態で動作するＷＴＲＵ２１０に対応する。ＵＬ（アップリンク）データの送信が必要になると、ＷＴＲＵ２１０は、受信確認表示チャネル（ＡＩＣＨ）においてプリアンブルを送信して応答を待つことにより、ネットワークにＥ−ＤＣＨリソースを要求する。言い換えると、ＷＴＲＵ２１０は、ＡＩＣＨにおいてＡＣＫ（肯定応答）、またはＡＩＣＨにおいてＮＡＣＫ（否定応答）を受信し、次いで、Ｅ−ＡＩＣＨを介してリソース割り当てインデックスを受信（あるいは、ＷＴＲＵ２１０がＥ−ＤＣＨインデックスを受信）するまで、この状態のままでいることもできる。Ｅ−ＤＣＨリソース割り当てを受信した後、ＷＴＲＵは、４１０で、Ｅ−ＤＣＨリソースが拡張アップリンク送信のために割り当てられた次の状態に移行することができる。ＷＴＲＵ２１０は、トリガを受信するまで、ＵＬ送信のためにこれらのＥ−ＤＣＨリソースを使用することができ、その時点で、ＷＴＲＵ２１０は、４１５でリソースを解放する。ＷＴＲＵ２１０は、リソースを解放した後、初期状態に戻る。以下でさらに詳しく説明するように、トリガは、タイマに基づくことができ、これは、ＷＴＲＵバッファの状態に基づいていてもよく、またはＲＮＣまたはＮｏｄｅ−Ｂ２２０からの信号制御（ｓｉｇｎａｌｉｎｇ）に基づいていてもよい。
【００２１】
一実施形態において、ＷＴＲＵ２１０は、タイマモジュールを備えるよう構成することができる。タイマモジュールは、複数のタイマを含むことができ、タイマは、各論理チャネルまたは各ＭＡＣ−ｄフローに関連付けることができる。タイマモジュールは、論理チャネル（すなわち、ＤＣＣＨ（専用制御チャネル）、ＤＴＣＨ（専用トラフィックチャネル）、ＣＣＣＨ（共通制御チャネル）など）の最大許容送信時間を示すように構成することができる。タイマモジュールの値は、予め構成されていてもよく、またはＷＴＲＵ２１０にシグナリングされてもよい。タイマは、Ｅ−ＤＣＨリソースインデックスを受信すると、ＷＴＲＵ２１０の最初の送信後に稼働することができる。ＷＴＲＵは、その関連のタイマの期限切れ後、Ｅ−ＤＣＨリソースを解放するように構成することができる。例えば、ＷＴＲＵ２１０は、ＣＣＣＨの最大共通Ｅ−ＤＣＨリソース割り当て時間に達したとき、共通Ｅ−ＤＣＨリソースを解放するように構成することができる。この実施形態によって、ＣＣＣＨなどの論理チャネルの送信期間を柔軟により短く構成することができる。
【００２２】
タイマモジュールは、論理チャネル識別、およびＥ−ＲＮＴＩ（Ｅ−ＤＣＨ無線ネットワーク一時識別子）がないことを前提に構成することもできる。より詳細には、最大Ｅ−ＤＣＨ割り当て時間は、Ｅ−ＲＮＴＩが存在しないとき、ＣＣＣＨ送信に割り当てることができる。タイマが期限切れになり、ＣＣＣＨ送信を実行しているＷＴＲＵ２１０がＥ−ＲＮＴＩを有していない場合、Ｅ−ＲＡＣＨアクセスが終了し、リソースが解放される。ＣＣＣＨ送信が行われ、Ｅ−ＲＮＴＩが存在する場合（周期セル更新手順中に起こり得る）、ＷＴＲＵ２１０は、最大Ｅ−ＤＣＨ割り当て時間を有するように構成されず、タイマは、ＷＴＲＵ２１０に影響を与えない。
【００２３】
あるいは、ネットワークは、Ｅ−ＲＮＴＩの有無に基づいて送信期間タイマを構成することができる。ＷＴＲＵ２１０は、送信すべきデータ（ユーザプレーンまたは制御プレーン）を有し、Ｅ−ＲＮＴＩが存在しない場合、最大Ｅ−ＤＣＨ割り当て時間を有するように構成することができる。そうではなく、Ｅ−ＲＮＴＩが存在する場合、ＷＴＲＵ２１０は、最大Ｅ−ＤＣＨ割り当て時間を含むように構成されない。
【００２４】
図５は、５００でＷＴＲＵ２１０がタイマＴ１およびＴ２について開始することができるタイマを開始するためのトリガの図を示す。衝突解決Ｔ１およびＣＣＣＨタイマＴ２などのタイマは、トリガ５０１から５０５のうちの１つに従って開始する。この実施形態は、５０６でタイマを開始するための図示されたトリガ５０１〜５０５のうちの少なくとも１つの任意の組み合わせを含むことができる。５０１で、送信されたプリアンブル署名に関連するＡＣＫをＡＩＣＨまたはＥ−ＡＩＣＨで受信した場合、タイマを開始することができる。タイマは、５０２で、ＲＲＣ（無線リソース制御）がＭＡＣにタイマ値を提供するとすぐ、またＥ−ＤＣＨリソースインデックスを受信した後、開始することができる。タイマは、５０３で、ＷＴＲＵ２１０が第１のＤＰＣＣＨ（専用物理制御チャネル）プリアンブル送信を開始する場合、開始することができる。タイマは、５０４で、Ｅ−ＤＣＨ送信バックオフＴＴＩ（送信時間間隔）（Ｅ−ＤＣＨ  ｔｒａｎｓｍｉｓｓｉｏｎ  ｂａｃｋｏｆｆ  ｔｒａｎｓｍｉｓｓｉｏｎ  ｔｉｍｅ  ｉｎｔｅｒｖａｌ）後、または第１のＭＡＣ  ＰＤＵ（プロトコルデータユニット）が物理層に渡された後、最初のＤＰＣＣＨ送信が完了すると開始することができる。または、タイマは、５０５で、ＷＴＲＵ２１０がＥ−ＤＣＨ送信を開始すると開始することができる。さらに、ＷＴＲＵ２１０のＥ−ＲＮＴＩを運ぶ衝突解決Ｅ−ＡＧＣＨ（Ｅ−ＤＣＨ絶対許可チャネル）が受信されると、ＷＴＲＵ２１０は、タイマを開始することができる。他のトリガも、設計されたように使用することができる。
【００２５】
あるいは、ＷＴＲＵ２１０のタイマモジュールは、ＷＴＲＵ２１０が使用可能な時間の長さが送信する必要のあるデータビット数に基づくように構成することができる。ＷＴＲＵ２１０への時間変数の長さは、ＲＬＣ（無線リンクコントローラ）またはＭＡＣ  ＰＤＵの数に基づいていてもよい。さらに、それは、ＲＬＣ  ＳＤＵ（サービスデータユニット）の数に基づいていてもよい。
【００２６】
あるいは、Ｅ−ＲＡＣＨメッセージ期間は、（現在の３ＧＰＰ標準に指定されているように）１０ｍｓｅｃまたは２０ｍｓｅｃのいずれかに固定することができる。結果として、Ｅ−ＲＡＣＨメッセージフェーズは、最大数のフレームまたはサブフレームの間、アクティブとすることができる。Ｅ−ＲＡＣＨメッセージ期間ＩＥ（情報要素）は、ＳＩＢ（システム情報ブロードキャスト）の一部としてブロードキャストすることができ、またはＬ１シグナリングの一部として含めることもできる。例えば、Ｅ−ＲＡＣＨメッセージ期間ＩＥは、最初のリソース割り当てにより、または衝突解決フェーズ中に送信することができる。さらに、Ｅ−ＲＡＣＨメッセージ期間は、アクセスサービスクラスに関連付けることもできる。
【００２７】
あるいは、ＷＴＲＵ２１０は、送信および再送の数をカウントし、カウントをＥ−ＲＡＣＨメッセージフェーズの送信を停止するためのトリガとして使用することができる。例えば、ＷＴＲＵ２１０が、連続したＴＴＩにおいて反復ＡＲＱ（自動再送要求）タイプの操作および送信に対応するように構成される場合、ＷＴＲＵは、Ｋ回の再送後、Ｅ−ＲＡＣＨメッセージの送信フェーズを終了するように構成することができる。Ｋの値は、ＷＴＲＵにおいて予め構成する、ＳＩＢの一部としてブロードキャストする、またはＥ−ＲＡＣＨ割り当てフェーズ中にシグナリングすることができることに留意されたい。
【００２８】
図６は、ＷＴＲＵ２１０のキューまたはバッファの状況に基づいてＥ−ＤＣＨリソースを解放するための方法のフロー図である。ＷＴＲＵ２１０は、送信バッファにデータがあるとき、６０５でデータを送信することができる。送信後、ＷＴＲＵ２１０は、６１０で、送信バッファが空であるかどうかをチェックすることができる。送信バッファが空ではない場合、ＷＴＲＵ２１０は、６０５で、バッファ内にあるデータを送信する。６１０で送信バッファが空である（すなわち、ＴＥＢＳ（全Ｅ−ＤＣＨバッファステータス）がゼロに等しい）場合、任意選択で、６１５で非アクティブタイマが期限切れになったかどうかがチェックされる。非アクティブタイマが期限切れになった場合、ＷＴＲＵ２１０は、６２０で、ＴＥＢＳがゼロに設定されたＳＩの特別なまたは予備の値を送信するように構成することができる。６１５で非アクティブタイマが期限切れになった後、ＷＴＲＵ２１０は、６３０で、Ｅ−ＤＣＨリソースを解放するように構成することができ、この場合、ＴＥＢＳがゼロに等しくなると、非アクティブタイマが開始する。ＵＬトラフィックまたはＤＬ（ダウンリンク）トラフィックを受信しない場合、ＷＴＲＵ２１０は、非アクティブであると考えられる。あるいは、ＷＴＲＵ２１０がＨＳ−ＳＣＣＨ（高速共有制御チャネル）上でそのＨ−ＲＮＴＩを復号すると、絶対的な（ｉｍｐｌｉｃｉｔ）解放タイマ（すなわち、非アクティブタイマ）を、トリガ機構に基づいて再開することができる。非アクティブタイマがいったん期限切れになると、ＷＴＲＵ２１０は、６２０で、ＳＩの特別なまたは予備の値を送信するように構成することができる。例えば、ＳＩの特別なまたは予備の値は、６２０で値がゼロに設定されたＴＥＢＳを含むことができる。ＴＥＢＳがゼロに設定されたＳＩは、リソースを解放するために、ネットワークにシグナリングするために使用することができる。６２５で、ＳＩを正常に送信し、ＨＡＲＱバッファを空にした後、ＷＴＲＵ２１０は、６３０で、Ｅ−ＤＣＨリソースを解放する。
【００２９】
あるいは、ＷＴＲＵ２１０は、リソースを解放することを指示する信号をネットワークに送信することができる。この信号は、ＳＩとハッピービットの特別な組み合わせ、すなわち新しいＭＡＣシグナリングを含むことができ、そこにおいてＭＡＣヘッダーフィールドの特別な組み合わせを再度解釈することができる。あるいは、Ｅ−ＲＡＣＨメッセージの送信フェーズを終了する旨の要求を示すフィールドを、拡張ＭＡＣ−ｅヘッダーまたはＭＡＣ−ｅトレーラに追加してもよい。例えば、ＷＴＲＵ２１０は、予備のＤＤＩ（データ記述インジケータ）の組み合わせを介してネットワークにこの信号を送信することができる。別の代替において、この信号は、新しいＲＲＣメッセージ、Ｅ−ＤＰＣＣＨにおけるＥ−ＴＦＣＩ（拡張伝送フォーマット組み合わせインデックス（ｅｎｈａｎｃｅｄ  ｔｒａｎｓｐｏｒｔ  ｆｏｒｍａｔ  ｃｏｍｂｉｎａｔｉｏｎ  ｉｎｄｅｘ））フィールドの特別な値またはＥ−ＤＰＣＣＨフィールドの特別な組み合わせ、または新しいＬ１メッセージとすることができる。リソースを解放するための最後の決定は、ネットワークによってすることができ、これにより、リソースを解放してＷＴＲＵ２１０に戻したことを示すことができる。あるいは、ＷＴＲＵ２１０は、Ｅ−ＲＡＣＨメッセージフェーズの終了を示すための手段としてＥ−ＤＣＨの送信を単に停止することができ、その時点で、ネットワークは、無線リソースを解放することができる。
【００３０】
あるいは、タイマモジュールは、ＷＴＲＵ２１０が、Ｅ−ＲＡＣＨを開始したときに存在したすべてのＰＤＵを送信したとき、またはバッファが所定の閾値レベルを超えたときに開始するように構成することができる。閾値レベルは、絶対値でもよく、または初期キューサイズを使用した相対的な基準に基づいていてもよい。
【００３１】
予め定められた閾値レベルを超えるバッファ内のすべてのＰＤＵの送信後にリソースを解放することによって、他のＷＴＲＵ２１０のＥ−ＲＡＣＨリソースを解放することができる。例えば、閾値レベルは、ネットワークがＷＴＲＵ２１０と送信遅延との間の公平性をトレードオフすることができるように設定することができる。これらのレベルは、システム情報を介して構成し、またはＷＴＲＵ２１０において予め構成することができる。
【００３２】
さらに、Ｅ−ＲＡＣＨメッセージ送信の終了をトリガすることができる物理層のための手順を用いることができる。これは、ＦＡＣＨ測定の機会によって制御されるセル再選択および測定またはＲＬ（無線リンク）の故障の検出を含む。
【００３３】
あるいは、ＷＴＲＵ２１０は、測定期間中のすべての送信を一時停止することができる。また、Ｎｏｄｅ−Ｂ２２０におけるスケジューラは、測定期間を認識し、および任意の許可、ＡＣＫ、またはＮＡＣＫのダウンリンク送信を一時停止することもできる。通常の操作を再開すると、ネットワークは、任意選択で、電力制御ループが再度確立されるように、最初の許可を送信することができる。または、ネットワークは、プリアンブル電力の立ち上がりまたは類似の手順を使用して、ＷＴＲＵ２１０からの指示を待つことができる。任意選択で、ＷＴＲＵ２１０は、終了信号または終了メッセージで、終了の理由を示すことができる。Ｅ−ＲＡＣＨ終了の理由は、ＲＬの故障およびＥ−ＲＡＣＨ送信の完了を含むことができる。
【００３４】
図７は、７００でＥ−ＲＡＣＨメッセージ送信の終了を決定するように構成されたネットワークのフロー図を示す。Ｅ−ＲＡＣＨメッセージフェーズの終了は、７０５で、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）ＵＴＲＡＮ（Ｔｅｒｒｅｓｔｒｉａｌ  Ｒａｄｉｏ  Ａｃｃｅｓｓ  Ｎｅｔｗｏｒｋ）によって最初のＳＩに示されるデータの量の受信に基づいて、ネットワークによって確立することができる。あるいは、それは、その後のＳＩに示される、または異なる機構を使用して示されるデータ量を受信するＵＴＲＡＮに基づいて確立することができる。ＵＴＲＡＮは、ＳＩの値を使用して、メッセージ送信を終了するときを決定することができる。より詳細には、７１０でＴＥＢＳがゼロに設定されたＳＩは、ＨＡＲＱバッファにおけるデータの送信がいったん完了すると、ＷＴＲＵ２１０がリソースを解放している旨の信号をネットワークに送る。ＵＴＲＡＮは、７１５でＴＥＢＳがゼロに設定されたＳＩを受信し、それ以上のＨＡＲＱ送信がなくなった後、７２０でＥ−ＤＣＨリソースを解放する。
【００３５】
あるいは、ＵＴＲＡＮは、関連のＦ−ＤＰＣＨの送信を単にオフにすることができ、明白な追加のシグナリングは使用されない。この手法は、ＷＴＲＵ２１０およびネットワークの両方が、送信を終了すべきであることを認識している場合に使用することができる。
【００３６】
あるいは、ＳＩは、バッファの占有が変わるたびに送信することができる。あるいは、ＳＩは、新しいデータが優先度がより高い論理チャネルからのものではない場合でさえ、予め定義された、またはシグナリングされた量だけバッファの占有が変化する（すなわち、追加データをバッファで受信する）たびに送信することができる。ＴＥＢＳがゼロに等しい場合、ＳＩトリガ機構は、ＳＩを送信することができるように変更することができる。ＴＥＢＳがゼロに設定されたＳＩは、ＨＡＲＱバッファにおけるデータの送信がいったん完了すると、ＷＴＲＵがリソースを解放している旨をネットワークにシグナリングし、ＵＴＲＡＮもＥ−ＤＣＨリソースを解放する。あるいは、ＳＩは、ＷＴＲＵ２１０がＣＥＬＬ＿ＦＡＣＨ状態にあるとき、またはＥ−ＲＡＣＨリソースを占有しているとき、すべてのＨＡＲＱ送信で送信することができる。
【００３７】
別の終了方法を選択する場合、ＵＴＲＡＮは、Ｅ−ＲＡＣＨの送信の終わりを明示的にシグナリングすることができる。ＵＴＲＡＮは、Ｅ−ＲＡＣＨメッセージの送信の終わりをいったん決定すると、（例えば０の許可など）Ｅ−ＡＧＣＨを介して特別な値を送信することによって、ＷＴＲＵ２１０にシグナリングする。または、ＵＴＲＡＮは、ＦＡＣＨを介して、またはＷＴＲＵ２１０がＣＥＬＬ＿ＦＡＣＨ状態のＨＳ−ＤＳＣＨ（高速ダウンリンク共有チャネル）のために構成されている場合、ＨＳ−ＤＳＣＨを介してＲＲＣメッセージを送信することによって、ＷＴＲＵ２１０にシグナリングする。あるいは、ネットワークは、Ｌ１シグナリングを使用することによってＷＴＲＵ２１０にシグナリングする。これは、Ｆ−ＤＰＣＨ（ｆｒａｃｔｉｏｎａｌ  ｄｅｄｉｃａｔｅｄ  ｐｈｙｓｉｃａｌ  ｃｈａｎｎｅｌ）を停止すること、フラグを送信すること、またはＷＴＲＵ２１０が例えばＨＳ−ＳＣＣＨ順を使用してＣＥＬＬ−ＦＡＣＨ状態のＨＳ−ＤＳＣＨのために構成されている場合、ＨＳ−ＳＣＣＨにおいて予め定められたフィールドの組み合わせを送信することを含むことができる。
【００３８】
あるいは、Ｅ−ＲＡＣＨメッセージの終了は、拡張専用物理データチャネル（Ｅ−ＤＰＤＣＨ）または拡張ＤＰＣＣＨ（Ｅ−ＤＰＣＣＨ）送信でのアクティビティがないことに基づいて確立することができる。
【００３９】
Ｅ−ＲＡＣＨ部分の終了は、要求をスケジューリングするＷＴＲＵ２１０の状況に基づいて確立することもできる。一例として、ＵＴＲＡＮは、受信したＳＩまたはハッピービットの状況を監視することができる。この情報が低い使用率を示す場合、ネットワークは、他のＷＴＲＵ２１０がリソースにアクセスする機会を有することができるように、Ｅ−ＲＡＣＨメッセージの現在の送信を終了することを決定することができる。あるいは、ハッピービットがアンハッピーに設定された状態で、この情報の使用率が高く、必要性が連続していることを示す場合、ＵＴＲＡＮは、ＷＴＲＵ２１０からＣＥＬＬ＿ＤＣＨ状態に移行することを決定することができる。別の代替として、ＵＴＲＡＮは、トラフィック量測定レポート（アップリンクＲＲＣ測定レポートなど）を使用して、ＷＴＲＵ２１０が任意のこれ以上のデータまたは送信すべき少量のデータを有していないことを決定することができる。
【００４０】
あるいは、ＵＴＲＡＮは、予め定められた時間量の間、予め定義された物理チャネルまたは信号を送信しないことによって、Ｅ−ＲＡＣＨリソースを解放するようにＷＴＲＵ２１０に暗にシグナリングすることができる。言い換えれば、ＷＴＲＵ２１０用のチャネルＥ−ＡＧＣＨ、ＷＴＲＵ２１０によって使用されるＥ−ＲＡＣＨリソースに関連付けられたＥ−ＲＧＣＨ、ＷＴＲＵ２１０によって使用されるＥ−ＲＡＣＨリソースに関連付けられたＦ−ＤＰＣＨ、および／またはＨＳ−ＳＣＣＨまたはＷＴＲＵ２１０用のＨＳ−ＰＤＳＣＨ（高速物理ダウンリンク共有チャネル）でＵＴＲＡＮからどんな送信も受信しない場合、ＷＴＲＵ２１０は、Ｅ−ＲＡＣＨリソースを解放する。
【００４１】
任意選択で、ＵＴＲＡＮは、終了信号または終了メッセージで、終了の理由を示すことができる。Ｅ−ＲＡＣＨ終了の理由は、それだけには限定されないが、ＲＬの故障、Ｅ−ＲＡＣＨ送信の完了、およびネットワークの輻輳を含むことができる。
【００４２】
図８は、ＷＴＲＵ２１０がＣＥＬＬ＿ＦＡＣＨ状態からＣＥＬＬ＿ＤＣＨ状態に移行するときに解放されるＥ−ＤＣＨリソースのフロー図である。ＷＴＲＵ２１０は、８０５でＥ−ＤＣＨリソースがまったく割り当てられない状態で動作する。ＡＩＣＨまたはＥ−ＡＩＣＨにおいてＥ−ＤＣＨリソース割り当てを受信するか、ＡＩＣＨにおいてＮＡＣＫを受信し、次いで、Ｅ−ＡＩＣＨを介してリソース割り当てインデックスを受信（あるいは、ＷＴＲＵ２１０がＥ−ＤＣＨインデックスを受信）すると、ＷＴＲＵ２１０は、８１０でＣＥＬＬ＿ＦＡＣＨ状態においてＷＴＲＵに割り当てられるＥ−ＤＣＨリソースにアクセスすることができる。ＷＴＲＵ２１０は、ＣＥＬＬ＿ＤＣＨ状態への切り替えを行うことができることを示す再構成メッセージを受信するまで（例えばＦＡＣＨまたはＨＳ−ＤＳＣＨを介して）、Ｅ−ＤＣＨリソースの制御を保持する。次いで、８１５で、Ｅ−ＤＣＨリソースが解放される。そして、ＷＴＲＵ２１０は、８２０でＣＥＬＬ＿ＤＣＨ状態に移行することができる。ＷＴＲＵ２１０がＥ−ＲＡＣＨを介して送信している間に、ＵＴＲＡＮがＷＴＲＵ２１０を、専用Ｅ−ＤＣＨリソースを含むＣＥＬＬ＿ＤＣＨ状態に再構成する場合、ＷＴＲＵ２１０は、同期の再構成の場合に、再構成メッセージに指定されている稼働時にＥ−ＲＡＣＨリソースを解放することができる。あるいは、ＷＴＲＵ２１０は、稼働時前または稼働時後の固定遅延時に、Ｅ−ＲＡＣＨリソースを解放することができる。あるいは、ＷＴＲＵ２１０は、ＲＲＣ再構成メッセージの受信直後にＥ−ＲＡＣＨリソースを解放することができる。
【００４３】
さらに、ＷＴＲＵ２１０は、それ自体を専用Ｅ−ＤＣＨリソースを介した送信のために構成すると同時に、Ｅ−ＲＡＣＨリソースを解放するように構成することができる。あるいは、ＷＴＲＵ２１０は、それ自体を専用Ｅ−ＤＣＨリソースを使用した送信のために構成する前または構成した後の固定遅延時に、Ｅ−ＲＡＣＨリソースを解放し、またはＷＴＲＵ２１０が専用Ｅ−ＤＣＨリソースを含むＵＴＲＡＮと完全に同期されるとＥ−ＲＡＣＨリソースを解放することができる。
【００４４】
図９は、Ｅ−ＲＡＣＨ終了トリガが発生したとき、ＣＥＬＬ＿ＦＡＣＨ状態またはアイドルモード中に、Ｅ−ＤＣＨリソースを解放するための手順のフロー図である。ＷＴＲＵ２１０は、９０５で、Ｅ−ＲＡＣＨ終了プロセスを開始する。ＷＴＲＵ２１０は、９１０で、行われている任意のＥ−ＡＧＣＨ、Ｅ−ＲＧＣＨ、およびＥ−ＨＩＣＨ受信手順を停止するように構成することができる。ＷＴＲＵ２１０は、９１５で、行われている任意のＥ−ＤＰＣＣＨおよびＥ−ＤＰＤＣＨ送信手順を停止するように、さらに構成することができる。次いでＷＴＲＵ２１０は、９２０で、ＭＡＣリセット手順を行い、９３０で、ＨＡＲＱバッファを解放することができる。拡張ＭＡＣ−ｅ／ｅｓリセット手順は、ＨＡＲＱプロセスをフラッシュし、拡張ＭＡＣ−ｅ／ｅｓのセグメンテーションエンティティにおける任意の残りのセグメントを破棄し、ＣＵＲＲＥＮＴ＿ＴＳＮ（送信シーケンス番号）値をゼロにリセットする工程を含むことができる。あるいは、残りのセグメントがＤＴＣＨまたはＤＣＣＨ論理チャネルからのものである場合、ＷＴＲＵ２１０は、残りのプロセスでセグメントの送信を再開することができる。任意の格納されたセグメントを破棄し、ＴＳＮ並べ替え番号をリセットするために、指示を、Ｉｕｂシグナリングを介してＳＲＮＣ２４０に送信することができる。
【００４５】
Ｅ−ＤＣＨが終了し、ＤＴＣＨまたはＤＣＣＨ送信がアクティブである場合、ＷＴＲＵ２１０は、９３０で、ＨＡＲＱプロセスをフラッシュし、ＭＡＣ−ｉ／ｉｓのセグメンテーションエンティティにおいて任意の残りのセグメントを破棄することができる。
【００４６】
ＣＣＣＨに対応しないＭＡＣ−ｉ／ｉｓエンティティの他の論理チャネルまたはキューは、リセットされない。Ｎｏｄｅ−Ｂ２２０は、ＣＣＣＨのＭＡＣ−ｉｓエンティティのリセットを行うように構成することができる。言い換えれば、任意のセグメントは、破棄することができ、予想されるＴＳＮは、その初期値に設定される。ＭＡＣ−ｉｓエンティティがＣＲＮＣ２３０にある場合、Ｎｏｄｅ−Ｂ２２０は、ＭＡＣ−ｉｓエンティティにリセットを行うよう指示するＩｕｂシグナリングを使用する。さらに、Ｅ−ＤＣＨリソースに関連付けられているＭＡＣ−ｉエンティティは、リセットされる（すなわち、ＨＡＲＱソフトバッファがフラッシュされる）。
【００４７】
ＷＴＲＵ２１０が全ＭＡＣ−ｉ／ｉｓのリセットを行うと、ＳＲＮＣ２４０におけるＭＡＣ−ｉｓエンティティは、Ｅ−ＲＡＣＨアクセスが終了した旨の新しいＩｕｂ／Ｉｕｒシグナリングを介して通知され、したがって、ＳＲＮＣ２４０におけるＭＡＣ−ｉｓエンティティもリセットを行うことができる。より詳細には、Ｎｏｄｅ−Ｂ２２０は、ＷＴＲＵ２１０とのＥ−ＤＣＨ接続を終了すると、Ｅ−ＤＣＨリソースを解放し、ＨＡＲＱバッファをフラッシュし、ＳＲＮＣ２４０またはＣＲＮＣ２３０に、接続が終了したことを通知し、したがって、ＣＲＮＣ２３０またはＳＲＮＣ２４０は、ＭＡＣのリセットも行う。ＣＲＮＣ２３０またはＳＲＮＣ２４０は、ＩｕｂまたはＩｕｒシグナリングを介して通知される。新しい制御ビットは、ＩｕｂまたはＩｕｒフレームフォーマットで挿入され、または新しいフレームフォーマットは、ＳＲＮＣ２４０またはＣＲＮＣ２３０にリソースの解放をシグナリングするように定義することができる。
【００４８】
また、任意選択で、ＭＡＣ−ｉ／ｉｓのリセットまたはセグメントの単なる破棄は、Ｅ−ＲＡＣＨリソースの終了のためにＴｒ（時間間隔）後に行うことができる。また、タイマは、ネットワーク側で開始する。Ｔｒは、ＲＲＣメッセージにより、ＳＩＢ（システム情報ブロック）を介してＷＴＲＵ２１０にシグナリングされるシステムで構成されたタイマとすることができ、またはＷＴＲＵ２１０において予め構成してもよい。タイマは、Ｅ−ＤＣＨリソースがＷＴＲＵ２１０において終了するとすぐに開始される。
【００４９】
ＷＴＲＵ２１０は、タイマが稼働しており、ＷＴＲＵ２１０がＥ−ＲＡＣＨアクセスの実行を試行する場合、そのタイマを停止するように構成することができる。また、ＷＴＲＵ２１０は、Ｅ−ＲＡＣＨアクセスを試行し、割り当てられたＥ−ＤＣＨリソースを取得する場合、または割り当てられたＥ−ＤＣＨリソースを取得し、競合解決フェーズ（ｃｏｎｔｅｎｔｉｏｎ  ｒｅｓｏｌｕｔｉｏｎ  ｐｈａｓｅ）を解決する場合、タイマを停止することもできる。
【００５０】
あるいは、ＷＴＲＵ２１０、Ｎｏｄｅ−Ｂ２２０および／またはＲＮＣは、ＴＳＮ＿ＲＥＳＥＴ＿ＴＩＭＥＲを含むように構成することができ、この場合、ＷＴＲＵ２１０は、タイマが期限切れになると、ＴＳＮリセットを行うように構成される。任意選択で、ＷＴＲＵ２１０は、タイマが期限切れになると、完全な拡張ＭＡＣ−ｅ／ｅｓリセット手順を行うことができる。
【００５１】
Ｅ−ＤＣＨリソースは、ＣＥＬＬ＿ＦＡＣＨからＣＥＬＬ＿ＤＣＨへの移行が行われると解放される。
【００５２】
ＷＴＲＵ２１０によって使用されているＥ−ＤＣＨリソースセットの解放後、ＷＴＲＵ２１０およびＲＮＣは、最後に使用されたＴＳＮ番号（すなわちＣＵＲＲＥＮＴ＿ＴＳＮ）の値を初期値にリセットすることができる。ＷＴＲＵ２１０およびＲＮＣは各々、同期されたタイマを備えることができ、タイマの終了によりＥ−ＤＣＨリソースの解放が支持される。タイマが期限切れになり、リソースが解放された後、ＷＴＲＵ２１０は、ＴＳＮをリセットし、任意選択で、完全な拡張ＭＡＣ−ｅ／ｅｓリセット手順を行うことができる。
【００５３】
あるいは、ＵＴＲＡＮは、リソースの解放を命令することができる。ＵＴＲＡＮは、リソースを解放する必要があることを示す信号をＷＴＲＵにシグナリングすることができる。この場合、メッセージの受信後、ＷＴＲＵ２１０およびＵＴＲＡＮは、ＴＳＮを初期値にリセットする。
【００５４】
あるいは、ＴＳＮ番号は、非アクティブタイマの期限切れ後、リセットすることができる。この場合、非アクティブタイマは、最後のＭＡＣ−ｅ  ＰＤＵがそれぞれ送信および受信された後、ＷＴＲＵ２１０およびネットワークの両方で開始することができる。タイマが期限切れになると、ＷＴＲＵ２１０およびＲＮＣは、ＴＳＮをその初期値にリセットする。任意選択で、完全な拡張ＭＡＣ−ｅ／ｅｓリセット手順を行うことができる。
【００５５】
別の代替で、ＴＳＮ番号は、リセットされないこともある。使用されているＥ−ＤＣＨリソースセット、または送信が行われる時間にかかわらず、使用された最後のＴＳＮ値は、メモリに格納され、新しい送信ごとに連続的に増分される。
【００５６】
あるいは、ＴＳＮ番号は、その初期値に設定することができ、任意選択で、セルの再選択が行われると、完全な拡張ＭＡＣ−ｅ／ｅｓリセットを行うことができる。ＴＳＮまたはＭＡＣ−ｅ／ｅｓのリセットは、ＷＴＲＵ２１０がセル再選択を実行した後、常に行ってもよい。あるいは、これは、ＳＲＮＳ（サービング無線ネットワークサブシステム）再配置が行われたときのみ、行ってもよい。ＲＮＣは、明示的な拡張ＭＡＣ−ｅ／ｅｓリセットインジケータを介してＴＳＮのリセットを指示し（ｓｉｇｎａｌ）、またはＷＴＲＵ２１０は、新しいＵ−ＲＮＴＩ（ＵＴＲＡＮ  ＲＮＴＩ）の存在または変更によりＳＲＮＳ再配置が行われたことを暗に検出することができる。
【００５７】
実施形態
１．Ｅ−ＲＡＣＨ（拡張ランダムアクセスチャネル）送信においてＥ−ＲＡＣＨメッセージを終了するための方法であって、
バッファが空であることを決定するステップ
を含む方法。
２．ＴＥＢＳ（全Ｅ−ＤＣＨ（拡張専用チャネル）バッファステータス）がゼロに等しいＳＩ（スケジューリング情報）の送信をトリガするステップと、
最後のＨＡＲＱデータ送信を決定するステップと、
Ｅ−ＤＣＨリソースの割り当てを解放するステップと
をさらに含む実施形態１に記載の方法。
３．非アクティブタイマは、バッファが空であるとき開始される実施形態１〜２のうちのいずれか一項に記載の方法。
４．ＳＩの送信は、非アクティブタイマが期限切れになるとトリガされる実施形態３に記載の方法。
５．非アクティブタイマは、データの受信後に再開される実施形態３に記載の方法。
６．Ｅ−ＲＡＣＨ（拡張ランダムアクセスチャネル）送信においてＥ−ＲＡＣＨメッセージを終了するための方法であって、
ＴＥＢＳ（全Ｅ−ＤＣＨ（拡張専用チャネル）バッファステータス）を含む初期ＳＩ（スケジューリング情報）を受信するステップと、
ＴＥＢＳがゼロに等しいことを決定するステップと
を含む方法。
７．ＨＡＲＱ（ハイブリッド自動再送要求）バッファが空になるまで待つステップと、
Ｅ−ＤＣＨリソースの割り当てを解放するステップと
をさらに含む実施形態６に記載の方法。
８．Ｅ−ＲＡＣＨ（拡張ランダムアクセスチャネル）送信においてＥ−ＲＡＣＨメッセージを終了するための方法であって、
ＣＥＬＬ＿ＦＡＣＨ（セル順方向アクセスチャネル）状態からＣＥＬＬ＿ＤＣＨ（セル専用チャネル）状態への移行中にＥ−ＲＡＣＨメッセージを解放するステップ
を含む方法。
９．ＡＩＣＨ（アクイジションインジケーションチャネル）およびＥ−ＡＩＣＨ（Ｅ−ＤＣＨ  ＡＩＣＨ）上でＥ−ＤＣＨ（拡張専用チャネル）リソースを受信するように構成された受信機
を含むＷＴＲＵ（無線送受信ユニット）。
１０．ＣＥＬＬ＿ＦＡＣＨ（セル順方向アクセスチャネル）状態中にＥ−ＤＣＨリソースにアクセスし、ＣＥＬＬ＿ＤＣＨ（セル専用チャネル）状態への切り替えを示す再構成メッセージを受信し、ＣＥＬＬ＿ＤＣＨ状態への切り替えに基づいてＥ−ＤＣＨリソースを解放するように構成されたプロセッサ
をさらに含む実施形態９に記載のＷＴＲＵ。
１１．Ｅ−ＲＡＣＨ（拡張ランダムアクセスチャネル）送信においてＥ−ＲＡＣＨメッセージを終了するための方法であって、
明示的なＥ−ＤＣＨ終了信号を受信するステップと、
Ｅ−ＤＣＨリソースを解放するステップと
を含む方法。
１２．明示的なＥ−ＤＣＨ終了信号は、Ｅ−ＡＧＣＨ（Ｅ−ＤＣＨ絶対許可チャネル）上でシグナリングされる特別な値を含む実施形態１１に記載の方法。
１３．Ｅ−ＲＡＣＨ（拡張ランダムアクセスチャネル）送信においてＥ−ＲＡＣＨメッセージを終了するための方法であって、
トリガに応答してタイマを開始するステップ
を含む方法。
１４．ＣＣＣＨ（共通制御チャネル）の最大許容送信時間に達すると、ＣＣＣＨのリソース割り当てを解放するステップ
をさらに含む実施形態１３に記載の方法。
１５．最大Ｅ−ＤＣＨ（拡張専用チャネル）割り当て時間は、Ｅ−ＲＮＴＩ（Ｅ−ＤＣＨ無線ネットワーク一時識別子）が存在しないとき、ＣＣＣＨ送信に割り当てられる実施形態１４に記載の方法。
１６．タイマは、送信されたプリアンブル署名に関連付けられているＡＣＫ（肯定応答）がＡＩＣＨ（アクイジションインジケーションチャネル）またはＥ−ＡＩＣＨ（Ｅ−ＤＣＨ（拡張専用チャネル）ＡＩＣＨ）で受信されると開始する実施形態１３〜１５のうちの一項に記載の方法。
１７．タイマは、ＲＲＣ（無線リソース制御）がＭＡＣ（媒体アクセス制御）にタイマ値を提供し、Ｅ−ＤＣＨ（拡張専用チャネル）のリソースインデックスを受信した後、開始する実施形態１３〜１６のうちの一項に記載の方法。
１８．タイマは、ＷＴＲＵ（無線送受信ユニット）が第１のＤＰＣＣＨ（専用物理制御チャネル）プリアンブル送信を開始すると開始する実施形態１３〜１７のうちの一項に記載の方法。
１９．タイマは、Ｅ−ＤＣＨ（拡張専用チャネル）送信バックオフＴＴＩ（送信時間間隔）後、第１のＤＰＣＣＨ送信が完了すると、または第１のＭＡＣ（媒体アクセス制御）ＰＤＵ（プロトコルデータユニット）が物理層に渡されると開始する実施形態１３〜１８のうちの一項に記載の方法。
２０．タイマは、ＷＴＲＵ（無線送受信ユニット）がＥ−ＤＣＨ（拡張専用チャネル）送信を開始すると開始する実施形態１３〜１９のうちの一項に記載の方法。
２１．ＷＴＲＵ（無線送受信ユニット）は、ＷＴＲＵ  Ｅ−ＲＮＴＩ（Ｅ−ＤＣＨ無線ネットワーク一時識別子）を運ぶ衝突解決Ｅ−ＡＧＣＨ（Ｅ−ＤＣＨ（拡張専用チャネル）絶対許可チャネル）が受信されると、タイマを開始することができる実施形態１３〜２０のうちの一項に記載の方法。
２２．ＣＣＣＨ（共通制御チャネル）の最大許容送信時間に達すると、Ｅ−ＤＣＨ（拡張専用チャネル）リソースを解放するように構成されたプロセッサ
を含むＷＴＲＵ（無線送受信ユニット）。
２３．Ｅ−ＲＡＣＨ（拡張ランダムアクセスチャネル）送信においてＥ−ＲＡＣＨメッセージを終了するための方法であって、
セル再選択または無線リンクの故障の場合にＥ−ＲＡＣＨメッセージを終了するステップを含む方法。
２４．Ｅ−ＲＡＣＨ（拡張ランダムアクセスチャネル）メッセージ送信の終わりを決定するように構成されたプロセッサを含むＮｏｄｅ−Ｂ。
２５．プロセッサに接続されている送信機であって、送信の終わりを示すＥ−ＡＧＣＨ（Ｅ−ＤＣＨ（拡張専用チャネル）絶対許可チャネル）を介して特別な値を送信するように構成された、送信機をさらに含む実施形態２４に記載のＮｏｄｅ−Ｂ。
２６．ＣＥＬＬ＿ＦＡＣＨ（セル順方向アクセスチャネル）状態の間にＥ−ＤＣＨ（拡張専用チャネル）リソースを解放するための方法であって、
Ｅ−ＡＧＣＨ（Ｅ−ＤＣＨ（拡張専用チャネル）絶対許可チャネル）、Ｅ−ＲＧＣＨ（Ｅ−ＤＣＨ相対許可チャネル）、およびＥ−ＨＩＣＨ（Ｅ−ＤＣＨ  ＨＡＲＱ（ハイブリッド自動再送要求）インジケータチャネル）の受信手順を終了するステップ
を含む方法。
２７．Ｅ−ＤＰＣＣＨ（Ｅ−ＤＣＨ専用物理制御チャネル）およびＥ−ＤＰＤＣＨ（拡張専用物理データチャネル）の送信手順を終了するステップと、
ＭＡＣ（媒体アクセス制御）エンティティをリセットするステップと
をさらに含む実施形態２６に記載の方法。
２８．チャネルは、Ｅ−ＲＡＣＨ（拡張ランダムアクセスチャネル）送信信号が受信されると終了する実施形態２６〜２７のうちの一項に記載の方法。
２９．チャネルは、ＣＣＣＨ（共通制御チャネル）タイマが期限切れになると終了する実施形態２６〜２８のうちの一項に記載の方法。
３０．チャネルは、ＳＩ（スケジューリング情報）がゼロに等しいとき終了する実施形態２６〜２９のうちの一項に記載の方法。
３１．ＭＡＣリセット手順は、ＨＡＲＱ（ハイブリッド自動再送要求）プロセスをフラッシュし、ＭＡＣエンティティのセグメンテーションエンティティにおける残りのセグメントを破棄し、ＴＳＮ（送信シーケンス番号）値をゼロにリセットするステップを含む実施形態２７〜３０のうちの一項に記載の方法。
３２．リソースは、非アクティブタイマが期限切れになると解放される実施形態２６〜３１のうちの一項に記載の方法。
【００５８】
上記では特徴および要素が特定の組み合わせで記載されているが、各特徴または要素は、他の特徴および要素無しに単独で、または他の特徴および要素の有無にかかわらず様々な組み合わせで使用することができる。本明細書に提供された方法またはフロー図は、汎用コンピュータまたはプロセッサによって実行するために、コンピュータ読取り可能な記憶媒体に有形で組み込まれるコンピュータプログラム、ソフトウェア、またはファームウェアにおいて実施することができる。コンピュータ読取り可能な記憶媒体の例には、ＲＯＭ（読み取り専用メモリ）、ＲＡＭ（ランダムアクセスメモリ）、レジスタ、キャッシュメモリ、半導体メモリ装置、内蔵ハードディスクおよび取外式ディスクなどの磁気媒体、光磁気媒体、並びにＣＤ−ＲＯＭディスクやＤＶＤ（デジタル多目的ディスク）などの光媒体などがある。
【００５９】
適したプロセッサには、一例として、汎用プロセッサ、専用プロセッサ、従来のプロセッサ、ＤＳＰ（デジタル信号プロセッサ）、複数のマイクロプロセッサ、ＤＳＰコアと関連する１つまたは複数のマイクロプロセッサ、コントローラ、マイクロコントローラ、ＡＳＩＣ（特定用途向け集積回路）、ＦＰＧＡ（フィールドプログラマブルゲートアレイ）回路、他の任意のタイプのＩＣ（集積回路）および／または状態機械などがある。
【００６０】
ソフトウェアと関連するプロセッサは、ＷＴＲＵ（無線送受信ユニット）、ＵＥ（ユーザ機器）、端末、基地局、ＲＮＣ（無線ネットワークコントローラ）、または任意のホストコンピュータで使用するための無線周波数送受信装置を実施するために使用することができる。ＷＴＲＵは、カメラ、ビデオカメラモジュール、テレビ電話、スピーカフォン、振動装置、スピーカ、マイクロフォン、テレビ送受信機、ハンズフリーヘッドセット、キーボード、Ｂｌｕｅｔｏｏｔｈ（登録商標）モジュール、ＦＭ（周波数変調）無線ユニット、ＬＣＤ（液晶ディスプレイ）表示装置、ＯＬＥＤ（有機発光ダイオード）表示装置、デジタル音楽プレーヤ、メディアプレーヤ、ビデオゲームプレーヤモジュール、インターネットブラウザ、および／または任意のＷＬＡＮ（無線ローカルエリアネットワーク）またはＵＷＢ（超広帯域）モジュールなど、ハードウェアおよび／またはソフトウェアに実装されるモジュールと共に使用することができる。
【図１】
0006046969.tif 000002
【図２】
0006046969.tif 000003
【図３】
0006046969.tif 000004
【図４】
0006046969.tif 000005
【図５】
0006046969.tif 000006
【図６】
0006046969.tif 000007
【図７】
0006046969.tif 000008
【図８】
0006046969.tif 000009
【図９】
0006046969.tif 000010